(57)【要約】【課題】  従来に比べて排水勾配による高低差を小さくすることができる、換言すれば、同じ高低差であれば屋上床面の排水勾配を大きくすることができる屋上排水構造を提供する。【解決手段】  木造住宅Ｍのバルコニーの床を形成する屋外床スラブ２と、この屋外床スラブ２の外周縁に立設された周壁３と、バルコニーの外側に設けられた雨樋４と、バルコニー上に降った雨水を雨樋４に排出する複数のドレイン部５と、から屋上排水構造１を構成する。屋外床スラブ２の上面には排水勾配ｉが形成されている。また、複数のドレイン部５は、下流側の周壁３と屋外床スラブ２との接合部に沿って断続的に設けられている。【選択図】      図１
2006057376.tif 000002
【特許請求の範囲】
【請求項１】
上面に排水勾配が形成された屋外床スラブと、
前記屋外床スラブの外周縁に沿って立設された周壁と、
前記屋外床スラブの下流端に位置する前記周壁の外側面に沿って、前記屋外床スラブの上面の下流端の高さよりも低い位置に設置された排水路と、
前記屋外床スラブの下流端に位置する前記周壁を貫通して形成され、前記屋外床スラブの上面と前記排水路とを連通する複数のドレイン部と、を有することを特徴とする屋上排水構造。
【請求項２】
前記複数のドレイン部は、前記屋外床スラブの下流端に位置する前記周壁と前記屋外床スラブの上面とが当接して形成される入隅部に沿って設けられていることを特徴とする請求項１に記載の屋上排水構造。
【請求項３】
前記入隅部は、一定の高さに形成されていることを特徴とする請求項２に記載の屋上排水構造。
【請求項４】
前記ドレイン部は、前記屋外床スラブの下流端に位置する前記周壁の隣り合う柱部材間毎に設けられていることを特徴とする請求項１から請求項３のいずれか１項に記載の屋上排水構造。
【請求項５】
前記ドレイン部は、前記屋外床スラブの下流端に位置する前記周壁に形成した貫通孔に、底面が平坦な筒状のドレイン管を挿設してなることを特徴とする請求項１から請求項４のいずれか１項に記載の屋上排水構造。
【発明の詳細な説明】
【技術分野】
【０００１】
本発明は、屋上の排水構造に関し、さらに詳しくは、排水勾配による高低差を小さくすることができる屋上の排水構造に関する。
【背景技術】
【０００２】
昨今、意匠的な観点や屋上緑化への関心の高まりなどから、建物の屋根の構造として陸屋根構造を採用して屋上や大型のバルコニーを設けることが多くなっている。
従来の屋上排水構造１００は、例えば図７に示すように、上面に排水勾配ｉが設けられた屋外床スラブ１０１と、当該屋外床スラブ１０１の下流端に沿って設けられた側溝１０２と、当該側溝１０２の底面に設けられたいくつかの排水孔１０３と、から構成されている。通常、排水孔１０３は、バルコニーのコーナー部に設けられている。そして、側溝１０２の底面には、排水孔１０３に向かって下り勾配となるように排水勾配ｊが形成されている（例えば特許文献１参照）。
したがって、屋外床スラブ１０１の上に落ちた雨水等は、屋外床スラブ１０１の上面と側溝１０２の底面を流れて排水孔１０３に集まり、排水孔１０３から外部に排水される。
【０００３】
ここで、図７に示すように、屋外床スラブ１０１の排水経路長をＬ１、側溝１０２の排水経路長をＬ２とすると、屋外床スラブ１０１の上流端１０１ａと排水孔１０３との高低差Ｈは、
Ｈ＝Ｈ1＋Ｈ2＝Ｌ1×ｉ＋Ｌ2×ｊ
となる。
【特許文献１】特開平１１−１７２８６４号公報（段落０００７、図１、図２）
【発明の開示】
【発明が解決しようとする課題】
【０００４】
従来の屋上排水構造１００は、屋外床スラブ１０１の面積が大きくなると、屋外床スラブ１０１の排水経路長Ｌ1および側溝１０２の排水経路長Ｌ2が大きくなり、屋外床スラブ１０１の上流端１０１ａと排水孔１０３との高低差Ｈが非常に大きくなってしまう。そのため、屋上面積を大型化すると、屋上の出入口の下端の高さが高くなり、室内の床面との段差が大きくなってしまうという問題があった。
【０００５】
このように、屋上の出入口部の室内側に段差を設けることは、バリアフリーやユニバーサルデザインの観点から好ましくない。
一方、これらの観点から建物の段差を小さくしようとすると、室内の床面を嵩上げするか、排水勾配ｉ、ｊを小さくして対応することが考えられる。しかしながら、室内の床面を嵩上げすると、室内空間（主に天井高）が小さくなってしまい、建物の使い勝手が悪くなるという問題がある。また、排水勾配ｉ、ｊを小さくすると、屋上の水捌けが悪くなり、防水層が劣化しやすくなるなどの耐久性上の問題や、雨漏りなどが発生しやすくなるという問題がある。
【０００６】
また、従来の屋上排水構造１００は、排水孔１０３の直径がφ４０〜φ７５ｍｍ程度と小さく、ゴミ詰まりなどが生じやすいという問題があった。特に、屋上構造においては、台風などによる降雨時にビニール袋などの飛来物によりドレイン部が瞬時に詰まり、建物内部へ漏水してしまうおそれがあった。また、日常的な出入りや利用がされない屋上構造においては、メンテナンスの困難さと相まって、枯葉や砂塵などの経年的な堆積によって排水孔が詰まり、雨漏りなどが生じて建物に甚大な被害を及ぼすことがある。
【０００７】
本発明は、かかる問題に鑑みてなされたものであり、従来に比べて排水勾配による高低差を小さくすることができる、換言すれば、同じ高低差であれば屋上床面の排水勾配を大きくすることができる屋上排水構造を提供することを課題とする。
また、本発明は、ゴミ詰まりが生じ難い屋上排水構造を提供することを他の課題とする。
【課題を解決するための手段】
【０００８】
請求項１に係る屋上排水構造は、上面に排水勾配が形成された屋外床スラブと、屋外床スラブの外周縁に沿って立設された周壁と、屋外床スラブの下流端に位置する周壁の外側面に沿って、屋外床スラブの上面の下流端の高さよりも低い位置に設置された排水路と、屋外床スラブの下流端に位置する周壁を貫通して形成され、屋外床スラブの上面と排水路とを連通する複数のドレイン部と、を有することを特徴とする。
【０００９】
かかる構造によれば、屋外床スラブの下流端に位置する周壁の外側面に沿って、屋外床スラブの上面の下流端の高さよりも低い位置に設置された排水路と、屋外床スラブの下流端に位置する周壁を貫通して形成され、屋外床スラブの上面と排水路とを連通する複数のドレイン部とを有することから、屋外床スラブの上に降った雨水等は、屋外床スラブの排水勾配によって下流へ向かって流れ、下流端に位置する周壁に設けられた複数のドレインを通ってそのまま排水路へと排水される。
【００１０】
すなわち、従来と異なり、複数のドレイン部（排水口）に向かって排水を流すための排水勾配ｊ（図７参照）を屋外床スラブの上面の下流端に設ける必要がない。そのため、従来必要だった側溝の排水勾配ｊによる高さ上昇分を省略して、屋外床スラブの上流端の高さを低くすることができる。つまり、屋上の出入口の下端の高さを低くすることが可能となる。
【００１１】
また、高低差を等しくするならば、排水勾配を急勾配にすることができるため、砂などの堆積を防止することができる。これにより、砂の堆積に伴う雨水の滞留を防止することができるため、防水性能を向上させることができるとともに、メンテナンスの負担を軽減することができる。さらには、防水層の劣化の原因の一つである「水」の滞留を防止できるので、防水層の耐久性の観点からも有利となる。
【００１２】
ここで、「屋上」とは、建物の屋根（主に陸屋根）の上の空間をいい、いわゆるバルコニーを含むものである。また、「屋外床スラブ」とは、屋外に面する床スラブをいい、例えば、陸屋根の屋根スラブやバルコニーの床スラブなどである。また、「周壁」とは、屋上の周囲に立設されている壁体であり、例えば、建物の外壁や、建物の屋上に設けられるパラペットや、バルコニーに設けられる手摺壁などである。また、「排水路」とは、屋上に降った雨水等の排水を流すための通路であり、例えば、雨樋（特に、水平方向に配置された横樋、軒樋）などである。
なお、屋外床スラブの上面の排水勾配は、１．０％〜２．０％程度とするのが好適である。
【００１３】
請求項２に係る発明は、請求項１に記載の屋上排水構造であって、複数のドレイン部は、屋外床スラブの下流端に位置する周壁と屋外床スラブの上面とが当接して形成される入隅部に沿って設けられていることを特徴とする。
【００１４】
かかる構成によれば、屋外床スラブの上面の排水勾配によって下流に流れた雨水等の排水は、入隅部に沿って設けられた複数のドレイン部から排水路に排出される。
なお、複数のドレイン部は、入隅部に沿って断続的あるいは連続的に設けられているのが好適である。すなわち、間隔をあまり開けずにドレイン部を設けることによって、屋外床スラブの上面に雨水等が滞留してしまう、いわゆる排水不良を防止することができる。
【００１５】
請求項３に係る発明は、請求項２に記載の屋上排水構造であって、入隅部は、一定の高さに形成されていることを特徴とする。
【００１６】
かかる構成によれば、入隅部は一定の高さに形成されていることから、ドレイン部から屋外床スラブの上流端までの高さ上昇を、屋外床スラブの排水勾配の分だけに抑えることができる。
【００１７】
請求項４に係る発明は、請求項１から請求項３のいずれか１項に記載の屋上排水構造であって、ドレイン部は、屋外床スラブの下流端に位置する周壁の隣り合う柱部材間毎に設けられていることを特徴とする。
【００１８】
かかる構成によれば、ドレイン部は屋外床スラブの下流端に位置する周壁の隣り合う柱部材間毎に設けられていることから、入隅部に占めるドレイン部の開口部の割合が大きくなり、排水不良を起こすことなく、雨水等を排水することができる。また、周壁の強度を損なうことなく、屋外床スラブの上面の雨水等を排水することができる。
【００１９】
ここで、「柱部材」とは、周壁の柱となる構造材であり、例えば、周壁がいわゆる枠組壁からなる場合には、いわゆるたて枠材が「柱部材」に相当する。また、周壁が木造軸組工法の場合には、柱材が「柱部材」に相当する。なお、ツーバイフォー工法の場合におけるたて枠材の間隔は、通常、４０５ｍｍ〜４５５ｍｍ程度である。また、ドレイン部の開口部の横幅は、特に制限されるものではないが、隣り合う柱部材の間隔の５０％以上であるのが好ましく、８０％以上１００％未満であるのがさらに好ましい。
【００２０】
また、万一台風などによって飛来した異物により一部のドレイン部にゴミ詰まりが生じたとしても、ドレイン部の開口部の割合が極めて大きく、排水能力に余裕があるため、オーバーフローなどによる建物への漏水の被害が生じるおそれがほとんどない。
【００２１】
請求項５に係る発明は、請求項１から請求項４のいずれか１項に記載の屋上排水構造であって、ドレイン部は、屋外床スラブの下流端に位置する周壁に形成した貫通孔に、底面が平坦な筒状のドレイン管を挿設してなることを特徴とする。
【００２２】
かかる構成によれば、ドレイン部は周壁に形成した貫通孔に、底面が平坦な筒状のドレイン管を挿設してなることから、ドレイン部の底面と屋外床スラブの上面とが広い範囲で密着する。そのため、排水路に排水をスムーズに流すことができる。
また、ドレイン部の底面と屋外床スラブの上面とが広い範囲で密着することから、枯葉等の大きなゴミも比較的スムーズに流すことができ、ゴミ詰まりを防止することが可能となる。
なお、ドレイン管の断面形状としては、例えば、断面視長方形状、台形状、半円形状などがある。断面視長方形状の場合は、長辺を床面と平行にするのが好適である。
【発明の効果】
【００２３】
本発明によれば、排水勾配による高低差を小さくすることが可能な屋上排水構造を提供することができる。換言すれば、同じ高低差であるならば排水勾配を大きくすることができる屋上排水構造を提供することができる。
そのため、屋上の出入口の下端の高さを低くすることができ、バリアフリーやユニバーサルデザインに対応した建物を構築することが容易になる。また、バリアフリーやユニバーサルデザインに対応しつつ、雨水等の滞留を防止することができることから、防水性の高い建物とすることが可能となる。
【００２４】
また、ゴミ詰まりや砂の堆積を少なくすることができるため、メンテナンスの負担を軽減することができる。そのため、定期的なメンテナンスを行い辛い個人住宅に対しても、防水性能に対して信頼性の高い陸屋根やバルコニーを提供することが可能となる。
【発明を実施するための最良の形態】
【００２５】
本発明を実施するための最良の形態について図面を参照して詳細に説明する。なお、第１実施形態においては、木造住宅のバルコニーに本発明に係る屋上排水構造を適用した場合を例にして説明する。説明において、同一の要素には同一の番号を付し、重複する説明は省略する。図１は、第１実施形態に係る屋上排水構造を備える木造住宅の斜視図である。図２は、第１実施形態に係る屋上排水構造の断面図である。図３は、第１実施形態に係る屋上排水構造の斜視図である。図４は、第１実施形態に係る屋上排水構造のドレイン部に用いられるドレイン管の斜視図である。
【００２６】
＜屋上排水構造１＞
第１実施形態に係る屋上排水構造１は、図１に示すように、木造住宅Ｍのバルコニーに適用されており、バルコニー上に降った雨水等を屋外に排水する役割を果たしている。かかる屋上排水構造１は、木造住宅Ｍのバルコニーの床を形成する屋外床スラブ２と、この屋外床スラブ２の外周縁に立設された周壁３と、バルコニーの外側に設けられた雨樋４と、バルコニー上に降った雨水を雨樋４に排出する複数のドレイン部５と、から構成されている。また、木造住宅Ｍの２階居室とバルコニーとを仕切る外壁３Ａには、出入口６が設けられており、バルコニーに出入することが可能になっている。
なお、第１実施形態において、木造住宅Ｍは、いわゆる枠組壁工法で構築されているものとする。
【００２７】
（屋外床スラブ２）
屋外床スラブ２は、図１に示すように、バルコニーの床を構成するとともに、木造住宅Ｍの１階居室の屋根を形成するものである。屋外床スラブ２は、平面視長方形状を呈している。また、屋外床スラブ２の上面には、出入口６側の一辺（上流端２ｂ）からその反対側の一辺（下流端２ａ）に向かって下り勾配となるように、排水勾配ｉが形成されている。なお、第１実施形態においては、この排水勾配ｉと直交する方向には、勾配は設けられていない。
【００２８】
屋外床スラブ２は、図２に示すように、下方から順に、構造材である床組体２１と、排水勾配ｉを形成するための勾配形成層２２と、１階居室への雨漏りなどを防止するための防水層２３と、を積層して構成されている。
床組体２１は、例えば、胴差材、根太、床パネル等を組み合わせて構成した構造体である。勾配形成層２２は、例えば、特開平１１−１７２８６４号公報に記載されているように、側面視台形状の発泡樹脂製のブロックを床組体２１の上面に敷き詰めて構成されている。防水層２３は、例えば、ＦＲＰ（Fiber Reinforced Plastic）防水、シート防水、アスファルト防水、ウレタン塗膜防水などにより構成されている。
【００２９】
（周壁３）
周壁３は、図１に示すように、木造住宅Ｍの２階居室とバルコニーとを仕切る外壁３Ａと、バルコニーの手摺壁３Ｂとから構成されている。外壁３Ａには、バルコニーへの出入口６が設けられている。また、この外壁３Ａの向かい側にある下流側手摺壁３Ｂａには、複数のドレイン部５が設けられている。
【００３０】
手摺壁３Ｂの構造について図２を参照して詳しく説明する。
手摺壁３Ｂは、図２に示すように、主に、手摺壁３Ｂの骨格となる枠組体３１と、この枠組体３１の両側面に貼られた防水紙３２と、この防水紙３２の外側にたて胴縁（図示省略）を介して取り付けられた外装材３３と、この外装材３３の下端部に沿って設置された水切金物３４と、これら枠組体３１、防水紙３２および外装材３３の上端部を覆う笠木３５と、から構成されている。なお、防水紙３２と外装材３３との間にはたて胴縁（図示省略）によって換気スペースＳが形成されている。
【００３１】
枠組体３１は、複数の木製の角材を組み合わせて構成されたものであり、床組体２１の外周縁に沿って互いに所定間隔を隔てて立設された複数のたて枠材３１ｂと、これらのたて枠材３１ｂの上端を継いで固定された上枠材３１ｃと、これらの部材を組み合わせてなる矩形枠の両側面に貼り付けられる面材３１ｄと、から構成されている。なお、たて枠材３１ｂが特許請求の範囲にいう「柱部材」に相当する。
【００３２】
前述のように、屋外床スラブ２の下流端２ａは、下流側手摺壁３Ｂａに沿う方向に勾配を有さないことから、屋外床スラブ２と下流側手摺壁３Ｂａとの接合部に形成される入隅部Ｎも、高さが一定となる。
【００３３】
（雨樋４）
雨樋４は、図１、図２に示すように、バルコニー上に降った雨水等の排水を集めて地上に流す役割を果たすものであり、主に、排水を水平方向に流す横樋４Ａと、垂直方向に流すたて樋４Ｂとから構成されている。
横樋４Ａは、断面視Ｕ字形の長尺部材であり、下流側手摺壁３Ｂａの外側面（バルコニーの外側面）に沿って、屋外床スラブ２の上面の下流端２ａの高さよりも低い位置に、たて樋４Ｂに向かって若干下り勾配となるように設置されている。かかる横樋４Ａが特許請求の範囲にいう「排水路」に相当する。
たて樋４Ｂは、円筒形状のパイプ部材であり、横樋４Ａの一端部に連結されている。たて樋４Ｂは、ブラケットを介して木造住宅Ｍの１階部分の外壁に固定されている。なお、たて樋４Ｂは、雨水を排水することができれば円筒形状に限られるものではなく、例えば角筒形状であっても良いし、筒状でなくてもよい。
【００３４】
（ドレイン部５）
ドレイン部５は、いわゆる排水口としての機能を果たすものであり、図１、図２に示すように、下流側手摺壁３Ｂａに形成された貫通孔５１と、この貫通孔５１に挿設されたドレイン管５２とから構成されている。ドレイン部５は、一方の端部が下流側手摺壁３Ｂａの屋外床スラブ２側（バルコニーの内側面）に開口しており、他方の端部が雨樋４の横樋４Ａの上部に開口しており、屋外床スラブ２からの排水を横樋４Ａに流すことができるようになっている。
【００３５】
ドレイン部５は、図３に示すように、屋外床スラブ２と下流側手摺壁３Ｂａとの接合部に形成される入隅部Ｎに沿って、たて枠材３１ｂの間ごとに設けられている。このように、ドレイン部５が断続的に設けられているため、入隅部Ｎに勾配を設けなくても、バルコニーに降った雨水などをスムーズに排水することができる。
なお、ツーバイフォー工法の場合、たて枠材３１ｂのピッチＰは、４０５ｍｍ〜４５５ｍｍ程度であり、ドレイン部５も略同程度のピッチで設けられる。
【００３６】
貫通孔５１は、ドレイン管５２を設置するための孔であり、第１実施形態では、図２に示すように、下流側手摺壁３Ｂａの枠組体３１の面材３１ｄに穴あけ加工して形成されている。また、貫通孔５１は、下流側手摺壁３Ｂａの枠組体３１の隣り合うたて枠材３１ｂの間に、後記するドレイン管５２の筒部５２ａと嵌り合う形で形成されている。
【００３７】
ドレイン管５２は、例えば、塩化ビニル樹脂などの合成樹脂、あるいはステンレスなどの金属材料等から成形された部材であり、図４に示すように、四角筒形状の筒部５２ａと、この筒部５２ａの一方の開口部の周縁に延設された第１縁部５２ｂ及び第２縁部５２ｃと、から構成されている。
【００３８】
筒部５２ａは、断面視長方形状の中空部を有しており、長辺方向を下方及び上方に向けて貫通孔５１に設置される。これにより、入隅部Ｎの全長に占めるドレイン管５２の開口部の割合が大きくなり、排水能力を向上させることができる。また、筒部５２ａの他方の端部は、雨樋４の横樋４Ａの上部に達しており、バルコニーに降った雨などの排水を雨樋４を介して地上に排出することができるようになっている。
【００３９】
第１縁部５２ｂは、筒部５２ａの底面から当該底面と略平行な方向に延伸して形成された平板状の部分であり、ドレイン管５２を貫通孔５１に設置したときに、屋外床スラブ２の上面と当接するようになっている（図２参照）。このとき、屋外床スラブ２の防水層２３は、第１縁部５２ｂの上に重なるように設置されている。これにより、ドレイン管５２と防水層２３との取り合い部からの漏水を防止することができる。
【００４０】
第２縁部５２ｃは、筒部５２ａの両側面および上面から当該両側面および上面と略直交する方向に延伸して形成された平板状の部材であり、ドレイン管５２を貫通孔５１に設置したときに、下流側手摺壁３Ｂａの側面と当接するようになっている（図２参照）。第２縁部５２ｃの上には防水紙３２がラップされており、漏水を防止している。
【００４１】
なお、第１実施形態において、ドレイン管５２の開口部の寸法としては、横幅Ｗ1＝１００ｍｍ〜４００ｍｍ程度、縦幅Ｔ1＝２０ｍｍ〜５０ｍｍ程度とするのが好適である。また、第２縁部５２ｃの寸法としては、横幅Ｗ2＝１６０ｍｍ〜５００ｍｍ程度、縦幅Ｔ2＝５０ｍｍ〜１００ｍｍ程度とするのが好適である。
【００４２】
以上、屋上排水構造１の構成について説明したが、かかる構成によれば、屋外床スラブ２の下流端２ａに、下流側手摺壁３Ｂａに沿う方向に排水勾配を設ける必要がないため、換言すれば、下流側手摺壁３Ｂａに沿う方向に排水勾配を設ける必要がない程度の間隔でドレイン部５が断続的に形成されているため、屋外床スラブ２の下流端２ａと上流端２ｂとの高低差を小さくすることができる。
【００４３】
＜他の実施形態＞
つづいて、他の実施形態に係る屋上排水構造について説明する。なお、前記した実施形態と同一の要素には同一の番号を付し、重複する説明は省略する。
【００４４】
図５は、第２実施形態に係る屋上排水構造の断面図である。
第２実施形態に係る屋上排水構造１１は、図５に示すように、屋外床スラブ２の上面の下流端２ａに沿って、溝部２ｃが形成されている点が、前記した第１実施形態に係る屋上排水構造１と異なっている。
【００４５】
溝部２ｃは、下流側手摺壁３Ｂａに沿う方向に同じ高さ（レベル）となっているとともに、屋外床スラブ２の排水勾配ｉが形成された面に対して段差を有して構成されている。
【００４６】
そして、この溝部２ｃの底面と下流側手摺壁３Ｂａとの接合部に形成される入隅部Ｎに沿って、複数のドレイン部５が断続的に設けられている。
【００４７】
そのため、かかる構成によっても、溝部２ｃの長手方向に沿って排水勾配を設ける必要がないため、その分だけ下流端２ａと上流端２ｂとの高低差を小さくできる。また、高低差を小さくしつつ、バルコニー上に降った雨水をスムーズに排水することができる。
【００４８】
図６は、第３実施形態に係る屋上排水構造を備える木造住宅の斜視図である。
第３実施形態に係る屋上排水構造１２は、図６に示すように、屋外床スラブ２の上面に、出入口６の下端付近から三方向の手摺壁３Ｂｂ、３Ｂｃ、３Ｂｄに向かって排水勾配ｉ、ｋが形成されている点が、前記した第１実施形態に係る屋上排水構造１と異なっている。
【００４９】
三方向の手摺壁３Ｂｂ、３Ｂｃ、３Ｂｄには、入隅部Ｎに沿って複数のドレイン部５が断続的に設けられている。また、三方向の手摺壁３Ｂｂ、３Ｂｃ、３Ｂｄの外側面には、横樋４Ａがそれぞれ設けられている（なお、図６においては、説明の都合上、手摺壁３Ｂｄの外側面に配置された横樋４Ａが省略されている）。
【００５０】
このように、３方向に排水勾配ｉ、ｋを設けるとともに、これらの排水勾配ｉ、ｋの下流端に位置する手摺壁３Ｂｂ、３Ｂｃ、３Ｂｄにそれぞれドレイン部５を設けることにより、下流端と上流端との高低差を大きくすることなく、排水能力を向上させることができる。したがって、屋上やバルコニーの大型化に対応しやすいというメリットがある。
【００５１】
以上、本発明を実施するための最良の形態について図面を参照して詳細に説明したが、本発明はこれらの実施形態に限定されるものではなく、本発明の趣旨を逸脱しない範囲で適宜設計変更が可能である。
【００５２】
例えば、本実施形態においては、いわゆる枠組壁工法で建築された木造住宅Ｍに本発明に係る屋上排水構造を適用した場合を例として説明したが、これに限られるものではなく、建物の屋上（バルコニーを含む）に適用するのであれば、建物の建築様式は、どのようなものでも良い。枠組壁工法以外には、例えば、在来軸組工法でもよい。また、木造に限られるものではなく、スチールハウスでも良いし、鉄筋コンクリート造、鉄骨造、鉄骨鉄筋コンクリート造の建物でもよい。
【００５３】
また、本実施形態においては、本発明に係る屋上排水構造をバルコニーに適用した場合について説明したが、これに限られるものではなく、例えば建物の陸屋根の上部等に適用しても良い。
【００５４】
また、本実施形態においては、「排水路」として横樋４Ａを用いたが、これに限られるものではなく、例えば、排水路を外装材と一体的に形成してもよい。具体的には、例えば、建物の１階と２階の境界部分に化粧梁を設置し、この化粧梁の上面に排水路を形成してもよい。かかる構成によれば、排水勾配による高低差を低減しつつ、建物の意匠設計の自由度を向上させることができる。
【００５５】
また、本実施形態においては、ドレイン部５のドレイン管５２を四角筒形状に構成したが、これに限られるものではないことはいうまでもない。なお、ドレイン管５２の底面は、平坦であるのが好適であり、例えば、断面視台形状、半円形状などでもよい。
【図面の簡単な説明】
【００５６】
【図１】第１実施形態に係る屋上排水構造を備える木造住宅の斜視図である。
【図２】第１実施形態に係る屋上排水構造の断面図である。
【図３】第１実施形態に係る屋上排水構造の斜視図である。
【図４】第１実施形態に係る屋上排水構造のドレイン部に用いられるドレイン管の斜視図である。
【図５】第２実施形態に係る屋上排水構造の断面図である。
【図６】第３実施形態に係る屋上排水構造を備える木造住宅の斜視図である。
【図７】従来の屋上排水構造の斜視図である。
【符号の説明】
【００５７】
１      屋上排水構造
２      屋外床スラブ
３      周壁
３Ａ    外壁
３Ｂ    手摺壁
４      雨樋
４Ａ    横樋（排水路）
４Ｂ    たて樋
５      ドレイン部
Ｍ      木造住宅
ｉ      排水勾配
【図１】
2006057376.tif 000003
【図２】
2006057376.tif 000004
【図３】
2006057376.tif 000005
【図４】
2006057376.tif 000006
【図５】
2006057376.tif 000007
【図６】
2006057376.tif 000008
【図７】
2006057376.tif 000009